(57)【要約】      （修正有）【課題】ネズミによる電気コード等のかじり被害を容易、かつ、確実に防止できるようにしたネズミ忌避具を提供する。【解決手段】カプサイシン成分を含有し、線状物品１０に沿って配置されて巻き付け状態に装着され、その装着状態を保持する保持部が備えられてなることを特徴とする。また、その装着状態においてカプサイシン成分（辛み）を発散することで、その使用部位にネズミを近寄りにくくし、また、ネズミが噛んだ際には口や顔面に大きな刺激を受け、これにより忌避効果が果たされる。【選択図】図３
0003184673.tif 000002
【実用新案登録請求の範囲】
【請求項１】
カプサイシン成分を含有し、線状物品に沿って配置され巻き付けられて装着され、その装着状態を保持する保持部が備えられてなることを特徴とするネズミ忌避具。
【請求項２】
前記保持部を面ファスナーとする請求項１記載のネズミ忌避具。
【請求項３】
前記カプサイシン成分がマイクロカプセルに充填された請求項１または２記載のネズミ忌避具。
【請求項４】
長尺のものが所望の長さに切断され使用される請求項１、２または３記載のネズミ忌避具。
【考案の詳細な説明】
【技術分野】
【０００１】  この考案は、工場や倉庫等における電気配線等において用いられるネズミ忌避具に関する。
【背景技術】
【０００２】  工場や倉庫においてはネズミによる被害がしばしば発生し、例えば、電気コードがかじられ切断される被害が発生している。電気コードがかじられた場合には電気機器が作動せず、また、ショートが発生することで火災の危険もある。このようなネズミの被害を回避するためネズミを捕獲するなど種々の方策がとられるが、その成果は十分に得られていない。
【考案の概要】
【考案が解決しようとする課題】
【０００３】  この考案は上記の事情に鑑みて行ったもので、ネズミの電気コード等のかじり被害を容易、かつ、確実に防止できるようにすることを目的とする。
【課題を解決するための手段】
【０００４】  この考案では、カプサイシン成分を含有し、線状物品に沿って配置されて巻き付け状態に装着され、その装着状態を保持する保持部が備えられてなることを特徴とするネズミ忌避具を提供する。【０００５】  この考案のネズミ忌避具は、保持部により線状物品に巻き付け状態に装着使用でき、その装着状態においてカプサイシン成分（辛み）を発散することで、その使用部位にネズミを近寄りにくくし、また、ネズミが噛んだ際には口や顔面に大きな刺激を受け、これにより忌避効果が果たされる。線状物品とは棒体、管体、筒体、コード等の線状に延びる全ての物を含み、ネズミ忌避具が装着使用されることでそれらのかじり被害が防止される。【０００６】  保持部は、ネズミ忌避具を線状物品に巻き付け状態に装着された状態に保持するべく機能するものであれば、適宜の形態ものであってよい。【０００７】  カプサイシン成分がマイクロカプセルに充填された構成とされることで、成分が徐々にマイクロカプセル内から放出されるので忌避効果が持続される。【０００８】  ネズミ忌避具として長尺のものを用意しておくことで、使用部位に対応して適宜所望の長さに切断して便利に用いられる。
【考案の効果】
【０００９】  この考案のネズミ忌避具を使用することで、電気コード等のネズミによるかじり被害が防止できるようになる。保持部を備えていることで装着使用が容易になされて便利に使用できる。
【図面の簡単な説明】
【００１０】
【図１】  この考案のネズミ忌避具の実施形態の部分外観斜視図
【図２】  この考案のネズミ忌避具の実施形態の拡大断面図
【図３】  この考案のネズミ忌避具の実施形態の使用説明図
【図４】  この考案のネズミ忌避具の実施形態の使用説明図
【図５】  この考案のネズミ忌避具の他の実施形態の使用説明図
【図６】  この考案のネズミ忌避具の他の実施形態の一部切欠き部分外観斜視図
【図７】  この考案のネズミ忌避具の他の実施形態の部分外観斜視図
【図８】  この考案のネズミ忌避具の他の実施形態の部分外観斜視図
【考案の好ましい実施形態】
【００１１】  図１はネズミ忌避具の部分外観斜視図、図２は同拡大断面図である。ネズミ忌避具１はカプサイシン成分を含有する巾２０ｃｍ程度の帯状形態で、基材樹脂シート２の一方面の一方の側縁に沿って面ファスナー３が付設され、その他方面の他方の側縁に沿って上記面ファスナー３に合わされ連結される面ファスナー５が付設されている。
【００１２】  基材樹脂シート２は約０・５ｍｍの厚さを有し、塩化ビニール樹脂よりなり、その内部にはカプサイシン粉が充填されたマイクロカプセル８が多数均一に分散されて混入されているとともに、その全体に補強用の基布１０が埋設されている。カプサイシン粉からのカプサイシン成分は均一に分散されたマイクロカプセル８の壁を通して少しずつ基材樹脂シート２内の全体にいきわたり、また、基材樹脂シート２は基布１０が埋設されていてある程度の剛性を持つので取扱いやすく、また、使用時に破損しにくくなっている。
【００１３】  長尺のものから切断により所定の長さとされたネズミ忌避具１は、図３に示すように、電気コード１０に沿うように配置されてその位置で矢印で示すように電気コード１０に巻かれ、それぞれの面ファスナー３、５が互いに合わされて連結されることで、図４に示すように、装着される。
【００１４】  上記のようにネズミ忌避具１が装着されることで、ネズミ忌避具１からカプサイシン成分（辛み）が発散することでその部位にネズミが近寄りにくくなり、また、ネズミが噛んだ際には口や顔面に大きな刺激を受け、これによりネズミの忌避効果が果たされて、電気コード１０のネズミによるかじり被害が確実に防止される。
【００１５】  ネズミ忌避具１は電気コード１０のかじり被害が発生しやすい部位に適宜の長さにおいて用いられる。また、電気コード１０が内部に配置される電気配管がかじり被害を受ける場合には、ねずみ忌避具はその配管を覆うように用いられ、さらに、水道配管等にも用いられる。
【００１６】  以下、ネズミ忌避具１の他の実施形態について説明する。それぞれの実施形態のものは、上記のネズミ忌避具１と同様にその基材樹脂シート２にカプサイシン成分が含有されてネズミ忌避作用を同様に発揮する。
【００１７】  図５に示すネズミ忌避具１は、線ファスナー１２を備え、その線ファスナー１２が閉じられることで電気コード１０等に装着使用される。
【００１８】  図６に示すネズミ忌避具１は、一方面の一方の側縁に沿ってアクリル系、ゴム系、シリコーン系等の樹脂よりなる粘着層１４を備え、その粘着層１４が他方面の側縁に貼り付けられることで電気コード等に巻き付け状態に装着使用される。粘着層１４上には離形シート１５が貼り付けられ、この離形シート１５が剥がされて用いられる。
【００１９】  図７に示すネズミ忌避具１は、一方面の一方の側縁に沿ってホックの雄片２０が所定の間隔で取り付けられ、他方面の他方の側縁に沿って上記雄片２０に対応する位置にホックの雌片２１が取り付けられており、それら雄片２０、雌片２１それぞれが互いに連結されることで電気コード等に巻き付け状態に装着使用される。
【００２０】  図８に示すネズミ忌避具１は、両側縁の対応する位置にはと目２５が取り付けられたひも通し穴２２が所定の間隔をおいて形成されている。ネズミ忌避具１が電気コードに巻き付けられた状態でそれらひも通し穴２２に固定ひもが通され固定されることで装着使用される。
【符号の説明】
【００２１】１    ネズミ忌避具
３    面ファスナー（保持部）
５    面ファスナー（保持部）
８    マイクロカプセル（カプサイシン成分）
１０  電気コード（線状物品）
【図１】
0003184673.tif 000003
【図２】
0003184673.tif 000004
【図３】
0003184673.tif 000005
【図４】
0003184673.tif 000006
【図５】
0003184673.tif 000007
【図６】
0003184673.tif 000008
【図７】
0003184673.tif 000009
【図８】
0003184673.tif 000010